(57)【要約】【課題】  より簡単なＦＰＣの位置規制構造・ＦＰＣ形状で、ＦＰＣの電気部品との接続部への不用意な外力が加わらないようにすることができるＦＰＣおよび電子機器を提供すること。【解決手段】  ＦＰＣを有する電子機器であって、ＦＰＣは、１方向へ直線的に伸びる第一のＦＰＣ部と、第一のＦＰＣと交わる箇所で３つ又となり、また第一のＦＰＣ以外の残りの２又に分かれて、且つ第一のＦＰＣと直交する方向へ伸びる箇所をもつ第二のＦＰＣ部とを有し、ＦＰＣが取り付けられる電子機器は、前記電子機器の構成部品に設けられた規制部を有し、前記規制部が、前記第一のＦＰＣが第二のＦＰＣと３つ又に交わる箇所とは反対方向へ直線的に伸びる方向、第一のＦＰＣと直交する方向、および前記第一のＦＰＣと第二のＦＰＣと３つ又に交わる箇所によって成す平面に対して垂直な方向へのＦＰＣの変位を規制すること。【選択図】  図１
2012247443.tif 000002
【特許請求の範囲】
【請求項１】
ＦＰＣを有する電子機器であって、
ＦＰＣは、１方向へ直線的に伸びる第一のＦＰＣ部と、
第一のＦＰＣと交わる箇所で３つ又となり、また第一のＦＰＣ以外の残りの２又に分かれて、且つ第一のＦＰＣと直交する方向へ伸びる箇所をもつ第二のＦＰＣ部とを有し、
ＦＰＣが取り付けられる電子機器は、
前記電子機器の構成部品に設けられた規制部を有し、
前記規制部が、前記第一のＦＰＣが第二のＦＰＣと３つ又に交わる箇所とは反対方向へ直線的に伸びる方向、第一のＦＰＣと直交する方向、および前記第一のＦＰＣと第二のＦＰＣと３つ又に交わる箇所によって成す平面に対して垂直な方向へのＦＰＣの変位を規制することを特徴とする、ＦＰＣを有する電子機器。
【請求項２】
前記ＦＰＣを有する電子機器における、前記規制部は、
前記第一のＦＰＣが第二のＦＰＣと３つ又に交わる箇所にむけて直線的に伸びる方向へのＦＰＣの変位を規制することを特徴とする、請求項１に記載の電子機器。
【請求項３】
前記ＦＰＣを有する電子機器は、
前記第二のＦＰＣ部の両端部に電気部品が接続され、
第二のＦＰＣ部は、その両端部と第一のＦＰＣ部と３つ又に交わる箇所との間で
変形吸収部を有することを特徴とする、請求項１に記載の電子機器。
【発明の詳細な説明】
【技術分野】
【０００１】
本発明はカメラ等の光学機器内に用いられる、フレキシブルに電気的接続を行うためのフレキシブルプリント基板（以下、ＦＰＣ）および電子機器に関するものである。
【背景技術】
【０００２】
従来、カメラ等の電子機器においては、ＦＰＣを使用する用途が多様化されている。ＦＰＣは、柔軟性が高く電子機器内で比較的自由に、且つ高密度に引き回すことができる。そしてまた、電子機器内への接続も容易に行えることから有効性が高く、広く利用されている。
【０００３】
図５は、交換レンズ内に用いられる、光量調整を行うための絞り機構である。ここで、絞り機構を動作させるための駆動モータおよび開放状態を検知するための電気部品であるフォトインタラプタ（以下、ＰＩ）を、電気的に接続するためにＦＰＣを用いた従来例を説明する。
【０００４】
図５の５０１は、絞り機構を駆動させるための駆動モータである。５０２は、絞り機構の開放状態を検知するためのＰＩである。５０３は、駆動モータ５０１とＰＩ５０２を、交換レンズ本体の電気回路基板に接続するためのＦＰＣである。５０４は、これらの駆動モータ５０１・ＰＩ５０２・ＦＰＣ５０３やその他の構成部品を有する絞りユニットであり、このユニットの状態で交換レンズへ取り付けられる。こうして、ＦＰＣ５０３を介して絞りユニット５０４に光量を制御するための信号が通信され、光量調節動作が行われる。絞りユニット５０４は交換レンズの中で光軸方向へ進退駆動したり、絞りユニット５０４と近接する部品が光軸方向への進退駆動や、回転運動といった駆動をする。そのため、絞りユニット５０４に接続されているＦＰＣ５０３が、上記絞りユニット５０４や近接部品の駆動、また絞り動作を干渉や押圧、引掛り等で妨げないように、しっかりと固定・位置決めされなければならない。
【０００５】
これらの問題点に対して、特許文献１では、ＦＰＣの一部に突出した腕部形状を設け、この腕部形状が取り付け部品に形成された溝部に嵌り込むことでＦＰＣの位置決めを行っている。
【０００６】
また、図１のように、絞りユニット５０４の構成部品に設けられた突出部５０５を、ＦＰＣ５０３の穴部５０６に通し、ＦＰＣ５０３を絞りユニット５０４に対してハンダ付けして固定する場合もある。その他にも、ＦＰＣ５０３を両面テープといった接着部材で絞りユニット５０４に固定したりする。
【先行技術文献】
【特許文献】
【０００７】
【特許文献１】特開２００１−１８５８２０号公報
【発明の概要】
【発明が解決しようとする課題】
【０００８】
上述の特許文献１に開示された従来技術では、ＦＰＣに固定用の腕部形状が必要となる。また、その他の固定方法においては、ＦＰＣを絞りユニットに取り付ける際に、不用意にＦＰＣに外力が加わると電気部品との接続部が外れてしまうことが懸念される。
【０００９】
そこで本発明の目的は、より簡単なＦＰＣの位置規制構造・ＦＰＣ形状で、ＦＰＣの電気部品との接続部への不用意な外力が加わらないようにすることができるＦＰＣおよび電子機器を提供することである。
【課題を解決するための手段】
【００１０】
上記目的を達成するために、本発明は、
ＦＰＣを有する電子機器であって、ＦＰＣは、１方向へ直線的に伸びる第一のＦＰＣ部と、第一のＦＰＣと交わる箇所で３つ又となり、また第一のＦＰＣ以外の残りの２又に分かれて、且つ第一のＦＰＣと直交する方向へ伸びる箇所をもつ第二のＦＰＣ部とを有し、
ＦＰＣが取り付けられる電子機器は、前記電子機器の構成部品に設けられた規制部を有し、
前記規制部が、前記第一のＦＰＣが第二のＦＰＣと３つ又に交わる箇所とは反対方向へ直線的に伸びる方向、第一のＦＰＣと直交する方向、および前記第一のＦＰＣと第二のＦＰＣと３つ又に交わる箇所によって成す平面に対して垂直な方向へのＦＰＣの変位を規制することを特徴とする、ＦＰＣを有する電子機器である。
【００１１】
また、前記ＦＰＣを有する電子機器における、前記規制部は、前記第一のＦＰＣが第二のＦＰＣと３つ又に交わる箇所にむけて直線的に伸びる方向へのＦＰＣの変位を規制することを特徴とする、ＦＰＣを有する電子機器である。
【００１２】
また、前記ＦＰＣを有する電子機器は、前記第二のＦＰＣ部の両端部に電気部品が接続され、第二のＦＰＣ部は、その両端部と第一のＦＰＣ部と３つ又に交わる箇所との間で変形吸収部を有することを特徴とする、ＦＰＣを有する電子機器である。
【発明の効果】
【００１３】
本発明によれば、より簡単なＦＰＣの位置規制構造・ＦＰＣ形状で、ＦＰＣの電気部品との接続部への不用意な外力が加わらないようにすることができるＦＰＣおよび電子機器を提供することができる。
【図面の簡単な説明】
【００１４】
【図１】本発明の実施例であるＦＰＣおよびＦＰＣ固定部を有する電子機器
【図２】電子機器の分解斜視図
【図３−１】ＦＰＣの展開図
【図３−２】ＦＰＣにおける、３つ又に交わる箇所の拡大図
【図４】ＦＰＣに働く外力の指示図
【図５】従来のＦＰＣおよびＦＰＣ固定部を有する電子機器
【発明を実施するための形態】
【００１５】
以下に、本発明の好ましい実施の形態を、添付の図面に基づいて詳細に説明する。
【００１６】
図１は、本発明の実施例１に係る交換レンズ内に取り付けられる絞りユニットである。１０１は交換レンズ本体の電気回路基板に接続するためのＦＰＣである。１０２はＦＰＣ１０１に電気的に接続される駆動モータである。１０３はＦＰＣ１０１に電気的に接続されるＰＩである。
【００１７】
図２に絞りユニットの分解斜視図を示す。
【００１８】
２０４は駆動モータ１０２を固定するカバープレートである。２０５はカバープレート２０４を補強する補強プレートである。２０６は駆動モータ１０２によって回転する回転部材である。２０７は絞り羽である。２０８はカム溝２０８ａが設けられた固定部材である。２０９は駆動モータ１０２のシャフト部に取り付けられるピ二オンであり、回転部材２０６のギヤ部２０６ａとかみ合うことで、駆動モータ１０２の回転を伝達する。絞り羽２０７には、回転部材２０６に係合するダボと、固定部材２０８のカム溝２０８ａとに係合するダボがそれぞれ形成されている（不図示）。２１０はカバープレート２０４を固定部材２０８に固定するビスである。これらの構成部品によって、絞り羽２０７によってできる開口部２０７ａの大きさを変えることで、光量の調節が行われる。
【００１９】
以下、図３−１と図３−２を用いて本発明の特徴的な事項の説明を行う。
【００２０】
図３−１は、ＦＰＣ１０１の展開図である。３０１はＦＰＣ１０１における、交換レンズ本体の回路基板と接続するために、一方向へ直線的に伸びる第一のＦＰＣ部である。
【００２１】
３０２は第一のＦＰＣ部３０１に対してＴ字状に形成される第二のＦＰＣ部である。第二のＦＰＣ部３０２の両端には、電気部品との接続部３０３がある。
【００２２】
図３−２は、ＦＰＣにおける、３つ又に交わる箇所の拡大図である。（図３−１のａ部）。
【００２３】
ＦＰＣ１０１は図４のように絞りユニットに取り付けられる。カバープレート２０４には規制部２０４ａが設けられている。規制部２０４ａは第一のＦＰＣ部３０１と第二のＦＰＣ部３０２が成す平面に対して垂直な方向への外力１および外力２が加わっても、ＦＰＣ１０１の変位を抑制するように規制している。また、第一のＦＰＣ３０１が伸びる方向の外力３が加わった時には、図３−２の３２１部・３２２部が規制部と当接してＦＰＣ１０１が変位しないように規制される。
【００２４】
また、第一のＦＰＣと直交する方向への外力４および外力５が加わった時には、図３−２の３２３部・３２４部が規制部と当接してＦＰＣ１０１が変位しないように規制される。
【００２５】
また、第二のＦＰＣ部３０２には、図４に示すＦＰＣの弛みを吸収する変形吸収部３０４がある。
【００２６】
これにより、ＦＰＣ１０１は絞りユニットに組み込まれた段階で、不用意な外力がＦＰＣ１０１に作用しても、電気部品との接続部３０３への外力は加わらない。また、位置規制構造をＦＰＣの形状とカバープレート２０４で構成することで、ＦＰＣの不要な形状や、ＦＰＣを固定するための特別な接着部材や作業工程を必要としない。
【００２７】
また、外力３とは反対の方向への外力が加わった時にＦＰＣ１０１の変位を規制するために、ＦＰＣ１０１と当接することで変位規制をする凸状形状部（不図示）があってもよい。
【００２８】
以上、本発明の好ましい実施形態について説明したが、本発明はこれらの実施形態に限定されず、その要旨の範囲内で種々の変形及び変更が可能である。
【符号の説明】
【００２９】
１０１：ＦＰＣ    １０２：駆動モータ  １０３：フォトインタラプタ
２０４：カバープレート    ２０４ａ：規制部  ２０５：補強プレート
２０６：回転部材  ２０６ａ：ギア部  ２０７：絞り羽  ２０７ａ：開口部
２０８：固定部材  ２０８ａ：カム溝    ２０９：ピ二オン    ２１０：ビス    
３０１：第一のＦＰＣ部    ３０２：第二のＦＰＣ部    ３０３：接続部
３０４：変形吸収部    ５０１：駆動モータ  ５０２：フォトインタラプタ
５０３：ＦＰＣ  ５０４：絞りユニット  ５０５：突出部  ５０６：穴部
【図１】
2012247443.tif 000003
【図２】
2012247443.tif 000004
【図３−１】
2012247443.tif 000005
【図３−２】
2012247443.tif 000006
【図４】
2012247443.tif 000007
【図５】
2012247443.tif 000008